(57)【要約】【課題】水洗いした場合でも短時間で乾くようにすることで、清潔な状態を維持することができる釣竿ケースを提供する。【解決手段】外側表面を形成する外装材１００と内側表面を形成する内装材１０２とを備え、外装材１００と内装材１０２とは、表面からの水の浸透を抑制するようにそれぞれ構成されていることを特徴とする。【選択図】図８
2008011722.tif 000002
【特許請求の範囲】
【請求項１】
外側表面を形成する外装材と内側表面を形成する内装材とを備え、外装材と内装材とは、表面からの水の浸透を抑制するようにそれぞれ構成されていることを特徴とする釣竿ケース。
【請求項２】
内装材は、その表面が滑面であることを特徴とする請求項１に記載の釣竿ケース。
【請求項３】
内装材は、布体と布体の表面を被覆する樹脂製のコーティング層とを備えることを特徴とする請求項１又は２に記載の釣竿ケース。
【請求項４】
シート材により内面が構成されて釣竿が収納可能に形成されたケース本体を備えた釣竿ケースにおいて、ケース本体の内面が水の浸透を抑制するように構成されていることを特徴とする釣竿ケース。
【発明の詳細な説明】
【技術分野】
【０００１】
本発明は、釣竿を収納するための釣竿ケースに関する。
【背景技術】
【０００２】
従来、この種の釣竿ケースは、例えば磯釣に行く場合に、複数の釣竿などの釣道具をその内部に収納して磯場まで携帯することができるものである。このような釣竿ケースの一例としては、外装材と内装材とを備えてなるものが知られている。外装材は、水の浸透を抑制するように構成されており、外部から水が浸透しないようになっている。また、内装材は、織布や編布等の柔軟性を有する布体にて構成されており、収納した釣竿等が傷付いたりするのを効果的に抑制している（例えば、特許文献１乃至特許文献３参照）。
【０００３】
ところで、かかる釣竿ケースは、釣人が釣をして汚れた手指で触ることで外装材及び内装材の双方が汚れるものであり、特に、内装材は、釣竿との接触によって釣竿に付着している餌等の汚れが付着するものである。そのような場合には、釣竿ケースを例えば水洗いするなどして付着した汚れを除去する。
【特許文献１】特開２００４−３３７０１６号公報
【特許文献２】特開２００４−３４４０１７号公報
【特許文献３】特開２００４−３４４１２４号公報
【発明の開示】
【発明が解決しようとする課題】
【０００４】
しかしながら、上記従来の釣竿ケースにあっては、内装材が織布や編布等の布体にて構成されているので、釣竿ケースを水洗いした場合には、内装材に水が浸透してしまう。そうすると、内装材が乾くまでに長時間かかってしまい、カビや悪臭などの原因となってしまう場合があった。
【０００５】
そこで、本発明は、上記実情に鑑みてなされ、例えば釣竿ケースを水洗いした場合でも短時間で乾くようにすることで、清潔な状態を維持することができる釣竿ケースを提供することを課題とする。
【課題を解決するための手段】
【０００６】
本発明は、上記課題を解決すべくなされたものであり、本発明に係る釣竿ケースは、外側表面を形成する外装材と内側表面を形成する内装材とを備え、外装材と内装材とは、表面からの水の浸透を抑制するようにそれぞれ構成されていることを特徴とする。
【０００７】
該構成の釣竿ケースにあっては、外装材と内装材とが表面からの水の浸透を抑制するようにそれぞれ構成されているので、例えば釣竿ケースを水洗いしても、その水は、外装材及び内装材に浸透することなくその表面をつたって流れ落ちる。よって、釣竿ケースが乾くのに時間がかからずカビや悪臭が発生し難くなる。
【０００８】
特に、内装材は、その表面が滑面であることが好ましい。内装材は、収納している釣竿と接触するため、特に釣の最中に釣竿に付着した汚れがこびりつき易いが、かかる構成とすることにより、汚れがこびりついても容易に拭き取ることができる。
【０００９】
更に、内装材は、布体と布体の表面を被覆するコーティング層とを備えることが好ましい。布体が保有する柔軟性により内装材が柔軟なものとなるので、収納している釣竿が傷付くのを効果的に抑制することができる。また、例えば、内装材を合成樹脂を圧延して伸ばした合成樹脂シートにて形成した場合に比して、釣竿ケースを軽量化することができる。
【００１０】
また、本発明にかかる釣竿ケースは、シート材により内面が構成されて釣竿が収納可能に形成されたケース本体を備えた釣竿ケースにおいて、ケース本体の内面が水の浸透を抑制するように構成されていることを特徴とする。
【００１１】
該構成の釣竿ケースにあっては、シート材により構成されるケース本体の内面が水の浸透を抑制するように構成されているので、例えばケース本体の内面を水洗い等した場合に、その水は、ケース本体の内面から浸透するのではなく、ケース本体の内面をつたって流れ落ちる。よって、釣竿ケースが乾くのに時間がかからずカビや悪臭が発生し難くなる。
【発明の効果】
【００１２】
以上のように、本発明にかかる釣竿ケースは、外装材と内装材とが表面からの水の浸透を抑制するようにそれぞれ構成されているので、例えば釣竿ケースを水洗いした場合であっても、釣竿ケースを短時間で乾かすことができてカビや悪臭が発生し難くなり、従って、清潔な状態を維持することができるという効果を奏する。
【００１３】
また、本発明にかかる釣竿ケースは、シート材により構成されるケース本体の内面が水の浸透を抑制するように構成されているので、例えばケース本体の内面を水洗い等した場合であっても、釣竿ケースを短時間で乾かすことができてカビや悪臭が発生し難くなり、従って、清潔な状態を維持することができるという効果を奏する。
【発明を実施するための最良の形態】
【００１４】
以下、本発明に係る釣竿ケースの一実施形態について図面を参酌しつつ説明する。
図１に示す本実施形態の釣竿ケースは、リール付きの釣竿Ｗを収納可能な縦長のケース本体Ａと、該ケース本体Ａの外面に取り付けられた肩掛けベルト２３及び把手２４とを備えている。
【００１５】
ケース本体Ａは、縦長の筒状の側壁部５を有している。該側壁部５は、縦長の四つの壁面、即ち、前面１、背面２、左右両側面３，４の合計四つの壁面からなる。各壁面がそれぞれ別々の部材から構成されていてもよいが、本実施形態においては、側壁部５は、図７にも示しているように、横断面視略Ｕ字状に形成された枠体１０と、該枠体１０の左右両側縁部１０ａ，１０ｂ間を連結する帯状体１１とから構成され、該帯状体１１が前面１を構成し、枠体１０が背面２と左右両側面３，４とを構成する。
【００１６】
帯状体１１は、幅一定であって、図７にも示しているように、その右側縁部１１ａが枠体１０の右側縁部１０ａと縫合され、その左側縁部１１ｂは枠体１０の左側縁部１０ｂとスライドファスナーにより連結されている。即ち、帯状体１１の左側縁部１１ｂと枠体１０の左側縁部１０ｂとの間に、釣竿Ｗを出し入れするための本体開口部３０が形成される。該本体開口部３０は、縦方向に沿って側壁部５の略全長に亘って形成されている。尚、帯状体１１の右側縁部１１ａと枠体１０の右側縁部１０ａとは、互いの表面同士が重ね合わせられて内側に向けられ、その重ね合わせられた部分には、端面を覆うように縁取りテープ６０が縫着されている。また、枠体１０の左側縁部１０ｂと帯状体１１の左側縁部１１ｂにもそれぞれ縁取りテープ６１，６２が縫着されており、それぞれの縁取りテープ６１，６２にスライドファスナーのテープ部が縫着されている。
【００１７】
一方、図２及び図３のように、右側面３と左側面４とは対称形状であって、上端から徐々に前方側に膨出するように幅広となった後徐々に細くなり、そこから再び徐々に前方側に膨出するように幅広となって、その後、下端に向けて再び徐々に幅狭となっていく形状をなしている。即ち、右側面３と左側面４には、各々の上部と下部とにそれぞれ前方側に弧状に膨出するように偏って幅広となった部分が設けられており、それによってケース本体Ａは、上部と下部とがそれぞれ前後の寸法が局所的に大きくなるように形成されている。換言すれば、背面２は上下方向に略真っ直ぐに伸びる一方、前面１を構成する帯状体１１はその上部と下部において法線方向外側に向けて部分的に弧状に湾曲膨出している。
【００１８】
従って、帯状体１１が前側に弧状に膨出する膨出部を上下に有することによって、ケース本体Ａは、下側から順に胴部Ａ１と首部Ａ２と頭部Ａ３とを有し、胴部Ａ１は前方側に偏って太く形成され、頭部Ａ３も同様に前方側に偏って太く形成されているものの胴部Ａ１よりは細く形成され、首部Ａ２は頭部Ａ３と胴部Ａ１との間に位置して細く形成されている。太く形成された胴部Ａ１内には釣竿Ｗに装着したリールが位置し、頭部Ａ３内には釣竿Ｗの穂先部が位置することとなる。
【００１９】
更に、左側面４には、胴部Ａ１の弧状の膨出形状に適合するような切欠円形状の外ポケット２０が側方に突出して設けられており、該外ポケット２０のポケット開口部２１は、前面側にあって胴部Ａ１の弧状の膨出形状に沿っており、スライドファスナーにより縦方向に開閉される。尚、外ポケット２０はマチがなく背面２側から連続的に形成されており、従って厚さの薄い偏平なものである。
【００２０】
図７に戻って、枠体１０はその両側縁部１０ａ，１０ｂにおいて互いに縫合された外装材１００と内装材１０２とを備え、外装材１００と内装材１０２との間には硬質ボード１０１が略Ｕ字状に撓ませられた状態で介装されている。内装材１０２は、水の浸透を抑制するように構成されている。具体的には、内装材１０２はシート材であり、ケース本体Ａの内面、具体的には枠体１０の内面を構成している。本実施形態では、図８に示すように、シート材は、合成樹脂からなる布体３００と、布体３００の表面を被覆する合成樹脂製のコーティング層３０１とを備える。
【００２１】
布体３００は、例えばポリエステルやナイロンなどの合成樹脂製の糸を織成した柔軟性を有する合成樹脂製の布である。コーティング層３０１は、例えば、ポリ塩化ビニル（ＰＶＣ）やポリウレタン、或いはシリコンなどの合成樹脂にて形成される薄い膜状であり、布体３００の表面全域を被覆するように設けられている。尚、コーティング層３０１は、ケース本体Ａの内面となる布体３００の表面のみに設けてもよいが、表裏両面に設けることも可能である。
【００２２】
また、シート材は、その表面が滑面となるように構成されている。ここで、滑面とは、布体３００の表面を合成樹脂にて薄膜状に被覆することで得られる滑らかな表面、具体的には微小な凹凸のないつるつるとした表面をいう。この滑面は、シート材の表面全体に形成することも可能であるし、部分的に形成することも可能である。具体的には、例えば微小なエンボスを所定領域に施すことによってシート材の表面のうち部分的に凹凸面（ざらざらとした表面）を形成することも可能である。
【００２３】
このように、本実施形態では、織布や編布などの布体３００の表面に合成樹脂製のコーティング層３０１を被覆することによってシート材を構成しているので、シート材は、その表面からの水の浸透を抑制することができると共にその表面が滑面となる。そして、そのようなシート材をコーティング層３０１が内側となるように配置することによってケース本体Ａの内面を構成しているので、ケース本体Ａの内面が水の浸透を抑制すると共にその表面が滑面となるのである。
【００２４】
外装材１００は、水の浸透を抑制するように構成されており、外側表面としてのケース本体Ａの外面と帯状体の外面とを形成している。具体的には、外装材１００は、厚さ５ｍｍ程度の均一厚の板状の部材であり、図９に示す如く、板状発泡体からなる基材２００の片面に合成樹脂フィルム等からなる表面シート２０１を積層一体化したものであって、該表面シート２０１が外側となるようにして使用されている。ここで、基材２００は、例えばエチレン酢酸ビニル共重合体（ＥＶＡ）発泡体等であり、表面シート２０１は例えばポリウレタンシートである。
【００２５】
このように、本実施形態では、板状発泡体からなる基材２００の片面に合成樹脂フィルム等からなる表面シート２０１を積層一体化して外装材１００を構成しているので、外装材１００は、その表面からの水の浸透を抑制することができると共にその表面が滑面となる。そして、そのような外装材１００を表面シート２０１が外側となるように配置することによって、ケース本体Ａの外面を構成しているので、ケース本体Ａの外面が水の浸透を抑制すると共にその表面が滑面となるのである。
【００２６】
また、硬質ボード１０１は、基材２００よりも硬質であって、例えばポリエチレン等の合成樹脂からなるボードが使用され、基材２００よりも薄肉である。該硬質ボード１０１はその可撓性によって略Ｕ字状に湾曲し、従って、硬質ボード１０１は、図７に矢印Ｑで示すように、その弾性復元力により元の平坦な状態に戻ろうとし、それによって枠体１０も左右に開こうとするが、この枠体１０の開きは帯状体１１で阻止される。尚、帯状体１１も同様の外装材１１０と内装材１１２とを有するが、両者の間には硬質ボードは介装されていない。
【００２７】
かかる枠体１０の三層構造（外装材１００、硬質ボード１０１、内装材１０２）は、枠体１０の三面共に共通して使用されている。即ち、硬質ボード１０１は上端から下端まで全長に亘って設けられている。そして、外装材１００も枠体１０の全長に亘って一枚物である。即ち、複数枚を縫合したものではなく、枠体１０の形状に合わせて裁断した一枚の外装材１００が使用されている。これに対し、シート材は、ケース本体の各面１，２，３，４にそれぞれ対応して複数枚配置され、その各々が枠体１０の全長に亘って設けられてそれぞれ縫合されている。尚、図３に示すように、左側面４には外ポケット２０が設けられているので、スライドファスナー付きのポケット開口部２１において、左側面４の外装材１００は部分的に上下に分断されている。尚、外ポケット２０の内面２０ａもシート材によって構成されている。
【００２８】
ここで、外ポケット２０の一方の内面、具体的には内側の内面２０ａには、図４に示す如く仕切部材５０が取り付けられている。仕切部材５０の位置や個数は任意であるが、本実施形態においては、胴部Ａ１の上下方向の中央部であって且つ前後方向の中央部である。該仕切部材５０は、縦方向に伸びる筋状突起５１が横方向に間隔をおいて複数（本実施形態では一定間隔毎に３つ）形成されており、従って、外ポケット２０に複数の棒状体Ｂを互いに干渉することなく分離状態で収納できる。即ち、左右両端の筋状突起５１の外側にそれぞれ一本ずつ、各筋状突起５１間にそれぞれ一本ずつ、本実施形態では合計４本の棒状体Ｂを分離して縦向きにして収納することができる。棒状体Ｂとしては、例えば、柄杓を収納できる。また、外ポケット２０の縦方向の寸法は背面２側から前面１側に向けて徐々に小さくなっているので、長さの異なる柄杓を長いものから順にして背面２側から収納することができる。このように柄杓等の棒状体Ｂを分離状態で収納できるので、携帯時や磯渡し時等において棒状体Ｂ同士の衝突が防止され、棒状体Ｂの破損や表面の傷つきが防止される。
【００２９】
また、仕切部材５０は、全体としては板状であって上述した筋状突起５１が表側に突出形成されたものであり、全体形状としては例えば矩形である。この筋状突起５１は、図１０に示すように、断面略三角形状であって縦方向に一直線に形成されている。
【００３０】
該仕切部材５０の具体的構成を更に詳細に説明すると、仕切部材５０は主として表板５００と裏板５０１とから構成されている。表板５００は、多層構造であって、例えば発泡ＥＶＡ等の板状発泡体からなる基材５００ａの表面に、その保護のためにトリコットやポリウレタンシート等からなる表面シート５００ｂを積層したものである。そして、該表板５００が筋状突起５１を形成すべくシート成型され、その裏面に裏板５０１が重ね合わせられて周囲に縁取りテープ５０２が施される。従って、筋状突起５１の内側には空間５２が設けられ、該空間５２が緩衝機能を持つ。尚、裏板５０１は、表板５００よりも硬質であって、例えばポリエチレン等の合成樹脂からなる硬質ボードが使用される。また、仕切部材５０の表板５００を構成している板状発泡体の硬度は、上述した外装材１００，１１０を構成している板状発泡体のそれよりも大きい。
【００３１】
更に、仕切部材５０は、外ポケット２０の内側の内面２０ａに着脱自在に取り付けられている。即ち、外ポケット２０の内側の内面２０ａには面ファスナーの一方である雌側部材２２が部分的に装着される一方、仕切部材５０の裏面には面ファスナーの他方である雄側部材が全体あるいは部分的に装着されている。従って、仕切部材５０は容易に着脱可能であり、しかも、上下左右の位置も調整可能である。尚、雌側部材２２は仕切部材５０よりも大きな面積を有している。
【００３２】
一方、図１乃至図３に示すように、首部Ａ２を中心として補強材が別途取り付けられている。即ち、首部Ａ２における外装材１００，１１０の外側に補強材として補強シート１１５が縫着により積層されている。具体的には、首部Ａ２おける前面１、左右両側面３，４にそれぞれ補強シート１１５が縫着されており、前面１においては首部Ａ２全体に、左右両側面３，４においては前広がりの台形状のものが前側領域に、ぞれぞれ縫着されている。これによって、首部Ａ２は、前面１では三層構造となり、左右両側面３，４においてはその大部分が四層構造となっている。
【００３３】
尚、帯状体１１は枠体１０よりも上方に長く形成され、その上端部１１ｃで側壁部５の上端開口を閉塞し、スライドファスナーも枠体１０の右側縁部１０ａの上端まで達している。また、側壁部５の下端には合成樹脂成型品の底キャップ２２が外装着されて側壁部５の下端開口が閉塞されている。また、背面２には、肩掛けベルト２３と把手２４とが取り付けられており、側壁部５の上端部にも把手２５が取り付けられている。
【００３４】
このようなケース本体Ａの内部には、リール付きの釣竿Ｗが複数収納することができるが、釣竿Ｗ以外にも種々の小物を釣竿とは分離して収納することができる。上述したように、本実施形態におけるケース本体Ａの頭部Ａ３は、首部Ａ２に比して太く形成されており、その首部Ａ２の膨出方向でもある前面１の内側即ち帯状体１１の内面には、図５及び図６のように、小物収納部としてのマチ付きの第一ポケット７０が設けられている。該第一ポケット７０は、内側即ち背面２側に向けて突出した底面部７００及び天面部７０１と両者を連結する側面部７０２とから縦長のボックス状に形成されている。
【００３５】
そして、図７にその断面構造を示しているが、第一ポケット７０の側面部７０２は、帯状体１１の左側縁部１１ｂにおける縁取りテープ６１と右側縁部１１ａにおける縁取りテープ６０とにそれぞれ縫着されている。即ち、第一ポケット７０の側面部７０２は、帯状体１１の両側縁部１１ａ，１１ｂにおける縫着部において帯状体１１に縫着されており、従って、帯状体１１の内面のうち使用可能な全幅に亘って、第一ポケット７０は設けられている。
【００３６】
また、第一ポケット７０は、天面部７０１から本体開口部３０側に位置する側面部７０２にかけてポケット開口部７０３を有し、該ポケット開口部７０３は、スライダを下方に操作することで開状態となるスライドファスナーが設けられている。また、ポケット開口部７０３の下端７０３ａは底面部７００から所定量上方に位置している。尚、ポケット開口部７０３は、第一ポケット７０の突出方向の中央よりも帯状体１１に近い位置に設けられている。また、第一ポケット７０はケース本体Ａの内装材１１２と同様の生地（例えばナイロン地）から構成される。
【００３７】
更に、マチ付きの第二ポケット７１も別途胴部Ａ１に設けられている。この第二ポケット７１も帯状体１１の内面に縫着されていて、その縫着の構造は第一ポケット７０のそれと同様であり、縦長のボックス状であることも同様である。また、第二ポケット７１は、第一ポケット７０よりも長く従ってその容積も第一ポケット７０より大きい。該第二ポケット７１は、胴部Ａ１の上部内面に位置しており、胴部Ａ１の上部においては帯状体１１が首部Ａ２にかけて徐々に背面２側に向けて傾斜しているので、第二ポケット７１も傾斜した状態にある。尚、第二ポケット７１のポケット開口部７１３も、第二ポケット７１の側面部のうち本体開口部３０側に位置する側面部にその長手方向に沿って設けられているが、第一ポケット７０とは異なり天面部にまでは伸びていない。また、第二ポケット７１のポケット開口部７１３は側面部の略全長に亘って設けられている点でも第一ポケット７０のそれとは異なっている。
【００３８】
以上のように構成された釣竿ケースにあっては、外装材１００，１１０と内装材１０２，１１２とが表面からの水の浸透を抑制するようにそれぞれ構成されているので、例えば釣竿ケースを水洗いしても、その水は、外装材１００，１１０及び内装材１０２，１１２に浸透することなくその表面をつたって流れ落ちる。よって、釣竿ケースが乾くのに時間がかからずカビや悪臭が発生し難くなり、清潔な状態を維持することができる。
【００３９】
また、内装材１０２，１１２は、収納している釣竿Ｗと接触するため、特に釣竿Ｗに付着している汚れがこびりつき易いが、内装材１０２，１１２の表面が滑面であるので、汚れがこびりついても容易に拭き取ることができる。
【００４０】
更に、内装材１０２，１１２が布体３００と布体３００の表面を被覆するコーティング層３０１とを備えてなるので、内装材１０２，１１２は布体３００が保有する柔軟性によって柔軟になるので、収納した釣竿Ｗが傷付くのを効果的に抑制することができる。また、例えば、内装材１０２，１１２を板状の合成樹脂シートにて形成した場合に比して、釣竿ケースを軽量化することができる。
【００４１】
また、首部Ａ２の上方にそれよりも太い頭部Ａ３を設けて帯状体１１の内面に第一ポケット７０を設けているので、その第一ポケット７０にハサミや替えスプールあるいは仕掛け等の小物を収納することができる。従って、リール付きの釣竿Ｗと共にハサミ等の小物を一つの釣竿ケースに収納して釣り場まで携帯することができ、釣竿ケースとは別に携帯すべきケースやバックの数を減らしたりそれらを小型のものにしたりできる。
【００４２】
また、第一ポケット７０は頭部Ａ３にあって釣竿ケースを起立させた際に釣り人の胸部の高さに略位置するので、容易に小物を出し入れすることができる。また、帯状体１１の内面に第一ポケット７０があって本体開口部３０の近傍に位置しているので、本体開口部３０を開けると第一ポケット７０がそこから表出し、従って、容易に取り出しできる。
【００４３】
しかも、第一ポケット７０のスライドファスナーが本体開口部３０側の側面部７０２に設けられているのでそのスライダの操作が容易であって取り出し性が優れ、また、スライダを下方操作するだけでよいので簡単にポケット開口部７０３を開けて小物を取り出して釣りの準備を行うことができる。しかも、ポケット開口部７０３の下端７０３ａが第一ポケット７０の底面部７００から上方に位置しているので、収納した小物がポケット開口部７０３から飛び出すということが抑制され、小物の落下破損を防止できる。
【００４４】
また、第一ポケット７０はボックス状であって且つ帯状体１１の略全幅に亘って設けられているのでその容量が大きく、従って、頭部Ａ３の膨出量を抑制することができて結果として釣竿ケースの大型化、重量アップを抑制できる。
【００４５】
更に、第一ポケット７０の他に第二ポケット７１を設けているのでその第二ポケット７１にも小物を収納することができ、第一ポケット７０を合わせて様々な小物を釣竿ケースに入れて釣り場まで携帯することができる。しかも、第二ポケット７１は胴部Ａ１の部位でも比較的リールの邪魔にならない部位であるところの上部内面に設けられているので、リールとの干渉も抑制され、ケース本体Ａの内部空間を効率よく使用することができる。
【００４６】
尚、本実施形態では、シート材が布体３００と布体３００の表面を被覆するコーティング層３０１とを備えてなるである場合について説明したが、これに限らず、例えば、ＰＶＣ樹脂を薄板状に薄く圧延して伸ばしたＰＶＣ樹脂シートである場合やウレタンゴムシートである場合などのように、合成樹脂シートである場合でもよい。また、例えば、アルミニウムを圧延して伸ばしたアルミ箔などのように、金属シートとすることも可能である。このようなシートにてケース本体Ａの内面を構成することにより、ケース本体Ａの内面を水洗いした場合に、その水は、合成樹脂シート又は金属シートの表面から浸透することなく表面に沿って流れ落ちるので短時間で乾く。尚、合成樹脂シート又は金属シートの表面を滑面とすることにより、汚れがこびりついても容易に拭き取ることができるので好ましい。また、内装材１０２，１１２は、シート材である場合に限られず、例えば、枠体１０又は帯状体１１の内形状を得るべくシート成形された合成樹脂からなる成形板体である場合であってもよい。
【００４７】
また、本実施形態では、外装材１００，１１０が板状発泡体からなる基材２００の片面に合成樹脂フィルム等からなる表面シート２０１を積層一体化して構成している場合について説明したが、これに限られず、例えば、内装材１０２，１１２と同様の構成とすることも可能である。また、枠体１０又は帯状体１１の内形状を得るべくシート成形された合成樹脂からなる成形板体とすることも可能である。
【００４８】
更に、本実施形態では、枠体１０がその内側から内装材１０２、硬質ボード１０１、外装材１００と配置した三層構造である場合、及び、帯状体１１がその内側から内装材１１２、外装材１１１と配置した二層構造である場合について説明したが、これに限られず、例えば、内装材１０２のみを用いた一層構造とすることもできる。
【図面の簡単な説明】
【００４９】
【図１】本発明の一実施形態における釣竿ケースの斜視図。
【図２】同釣竿ケースの右側面図。
【図３】同釣竿ケースの左側面図。
【図４】同釣竿ケースの使用状態を示す左側面図。
【図５】同釣竿ケースの使用状態を示す斜視図。
【図６】図５の要部拡大図。
【図７】図１のＰ−Ｐ線断面図。
【図８】同釣竿ケースの内装材の断面図。
【図９】同釣竿ケースの外装材の断面図。
【図１０】同釣竿ケースの仕切部材の断面図。
【符号の説明】
【００５０】
１…前面、２…背面、３…右側面、４…左側面、５…側壁部、１０…枠体、１１…帯状体、２０…外ポケット、２１…ポケット開口部、３０…本体開口部、５０…仕切部材、６０，６１，６２…縁取りテープ、７０…第一ポケット（マチ付きのポケット）、７１…第二ポケット（マチ付きのポケット）、１００，１１０…外装材、１０１…硬質ボード、１０２、１１２…内装材、１１５…補強シート、２００…基材、２０１…表面シート、３００…布体、３０１…コーティング層、５００…表板、５００ａ…基材、５００ｂ…表面シート、５０１…裏板、５０２…縁取りテープ、７００…底面部、７０１…天面部、７０２…側面部、７０３，７１３…ポケット開口部、Ａ…ケース本体、Ａ１…胴部、Ａ２…首部、Ａ３…頭部、Ｂ…棒状体、Ｗ…釣竿
【図１】
2008011722.tif 000003
【図２】
2008011722.tif 000004
【図３】
2008011722.tif 000005
【図４】
2008011722.tif 000006
【図５】
2008011722.tif 000007
【図６】
2008011722.tif 000008
【図７】
2008011722.tif 000009
【図８】
2008011722.tif 000010
【図９】
2008011722.tif 000011
【図１０】
2008011722.tif 000012